(57)【要約】【課題】電線の端末を容易にくせ付けできる間接活線工事用端末キャップを提供する。【解決手段】間接用端末キャップ１０は、端末キャップ本体１、金属線コイル２、及び、口元部材３を備える。端末キャップ本体１は、電線Ｗを導入可能に、基端部を開口している。金属線コイル２は、一端２ａを端末キャップ本体１の基端部側に固定している。口元部材３は、金属線コイル２の他端２ｂを先端部側に固定している。口元部材３は、絶縁操作棒９を用いて、外周を把持できる。電線Ｗの端末を導入した端末キャップ本体１に対して、口元部材３を移動した状態では、金属線コイル２は、電線Ｗの端末をくせ付け自在に、電線Ｗの端末の外周と密着した状態で巻回している。【選択図】図５
2020025386.tif 000002
【特許請求の範囲】
【請求項１】
被覆が剥離された電線の端末の芯線が露出しないように絶縁体で覆う間接活線工事用端末キャップであって、
前記電線の端末を内部に導入可能に基端部を開口し、先端部を閉塞した円筒状の端末キャップ本体と、
一端を前記端末キャップ本体の基端部側に固定し、内部の空洞が前記端末キャップ本体の内部と軸方向に連通した金属線コイルと、
前記金属線コイルの他端を先端部側に固定し、前記金属線コイルの内部に向って、前記電線の端末を通過できると共に、開閉自在な一対の把持腕を先端部に有する絶縁操作棒を用いて、外周を把持できる、円筒状の口元部材と、を備え、
前記電線の端末を導入した前記端末キャップ本体に対して、前記口元部材を移動した状態では、前記金属線コイルは、前記電線の端末をくせ付け自在に、前記電線の端末の外周と密着した状態で巻回している、間接活線工事用端末キャップ。
【請求項２】
前記金属線コイルは、塑性変形できる線体からなる、請求項１記載の間接活線工事用端末キャップ。
【請求項３】
前記金属線コイルは、銅線又は銅合金線からなる、請求項１又は２記載の間接活線工事用端末キャップ。
【発明の詳細な説明】
【技術分野】
【０００１】
本発明は、間接活線工事用端末キャップに関する。特に、電柱に架設された高圧配電線から分岐された縁線などを間接活線作業で切断した場合に、被覆が剥離された縁線の端末を絶縁体で覆って保護でき、切断後の縁線が装柱機器に接触しないように、縁線に「くせ付け」できる間接活線工事用端末キャップの構造に関する。
【背景技術】
【０００２】
高圧配電線を無停電状態で配電工事を行う活線作業には、直接活線工法と間接活線工法の二通りがあることが知られている。直接活線工法は、作業者が高圧ゴム手袋などの保護具を着用して、通電中の高圧配電線に直接触れて配電工事を行う。一方、間接活線工法は、作業者が絶縁操作棒（ホットスティック）などを用いて、通電中の高圧配電線に直接触れることなく配電工事を行うことができる。
【０００３】
例えば、電柱に架設された高圧配電線から分岐された引下線（以下、電線という）を切断する間接活線工事が必要な場合がある。この場合、電線被覆剥離工具を先端部に備えた絶縁操作棒を用いて、電線の被覆を所定の長さで剥離している。
【０００４】
次に、固定ジョーと可動ジョーの間に電線を把持できる絶縁操作棒（いわゆる、ストレーリンクトング）を二本用いて、電線の剥離部の両側を把持している。次に、電線の剥離部の両側をストレーリンクトングで把持した状態で、電線の剥離部の中央部を間接活線工事用カッターで切断している。
【０００５】
次に、被覆が剥離された電線の端末に、絶縁性を有する端末キャップを取り付けて、電線の芯線を覆うことで、電線の芯線が装柱機器などに接触することを防止できる。
【０００６】
このような端末キャップとしては、一対の開閉腕を先端部に有する絶縁操作棒（いわゆる、絶縁ヤットコ）を用いて、端末キャップを把持でき、ワンタッチで簡単に電線の端末に冠着でき、電線の端末から不用意に離脱することのない間接活線工事用端末キャップが開示されている（例えば、特許文献１参照）。
【先行技術文献】
【特許文献】
【０００７】
【特許文献１】特開平９−７４６３５号公報
【発明の概要】
【発明が解決しようとする課題】
【０００８】
図６は、従来技術による間接活線工事用端末キャップの構成を示す斜視図であり、端末キャップの入口が開いた状態図である。図７は、従来技術による間接活線工事用端末キャップの構成を示す縦断面図であり、端末キャップの入口が開いた状態図である。図８は、従来技術による間接活線工事用端末キャップの構成を示す斜視図であり、電線の端末を挿入する前の状態図である。
【０００９】
図９は、従来技術による間接活線工事用端末キャップの構成を示す斜視図であり、電線の端末を挿入した状態図である。図１０は、従来技術による間接活線工事用端末キャップの構成を示す縦断面図であり、電線の端末を挿入した状態図である。図１１は、図１０の右側面図である。
【００１０】
なお、本願の図６から図８は、特許文献１の図１から図３に相当している。又、本願の図９から図１１は、特許文献１の図５から図７に相当している。
【００１１】
図６から図１１を参照すると、従来技術による間接活線工事用端末キャップ（以下、端末キャップと略称する）８は、絶縁性を有する円筒状のキャップ本体８１と円筒状のスリーブ８２を備えている。キャップ本体８１は、先端部を閉塞し、基端部を開口している。キャップ本体８１は、その内部に電線Ｗの端末を挿入できる（図１０参照）。スリーブ８２は、キャップ本体８１とスライド自在及び回転自在に連結している。
【００１２】
図６から図８を参照すると、キャップ本体８１は、第１鍔部８１１、第２鍔部８１２、及び、チャック部８１３を有している。開閉自在な一対の把持腕９ａ・９ｂを先端部に有する絶縁操作棒９を用いて、第１鍔部８１１と第２鍔部８１２の間で、キャップ本体８１を把持できる（図８参照）。そして、被覆Ｗｉが剥離された電線Ｗの端末を別の絶縁操作棒９で把持し、チャック部８１３に開口した円錐体状の入口８１ｈに電線Ｗの端末を挿入できる。
【００１３】
図６から図８を参照すると、チャック部８１３は、キャップ本体８１の中心から放射状に形成された切り込みで分割された複数の把持爪８１ｎで構成している。通常、これらの把持爪８１ｎは、外周方向に向かって、円錐体状に開いている。そして、電線Ｗの端末を入口８１ｈから容易に導入できる。
【００１４】
図６から図１１を参照すると、スリーブ８２は、第３鍔部８２１と第４鍔部８２２を両端部に備えている。図６から図８に示すように、第３鍔部８２１が第２鍔部８１２に近接した状態では、入口８１ｈは拡径している。一方、図９又は図１０に示すように、スリーブ８２をチャック部８１３に向かってスライドすると、入口８１ｈを縮径できる。そして、複数の把持爪８１ｎで電線Ｗの端末の外周を掴持できる。
【００１５】
なお、図６から図１１を参照すると、これらの把持爪８１ｎの一部は、被覆Ｗｉの外周面に食い込むことができる突起を内周に有し、端末キャップ８に対して、電線Ｗを確実に保持できる。これらの把持爪８１ｎは、第４鍔部８２２が当接する鍔片を外周に有し、スリーブ８２を抜け止めできる。
【００１６】
次に、従来技術による間接活線工事用絶縁ヤットコの構成を説明する。図１２は、従来技術による間接活線工事用絶縁ヤットコの正面図である。図１３は、図１２に示した間接活線工事用絶縁ヤットコの先端部を拡大した正面図である。
【００１７】
図１２を参照すると、従来技術による間接活線工事用絶縁ヤットコ（以下、絶縁操作棒という）９は、長尺の操作棒９１と把持工具９２で構成している。又、絶縁操作棒９は、作動棒９３を備えている。把持工具９２は、操作棒９１の先端部に取り付けられている。
【００１８】
図１２又は図１３を参照すると、把持工具９２は、開閉する一対の湾曲した把持腕９ａ・９ｂで構成している。そして、一方の把持腕９ａは、基端部が固定された固定腕であり、他方の把持腕９ｂは、一方の把持腕９ａの基端部に設けた回動軸９ｃを中心に回動する可動腕となっている。
【００１９】
図１２を参照すると、操作棒９１は、その手許部に操作レバー９４を配置している。作動棒９３は、操作棒９１に沿って配置されている。作動棒９３の先端部は、他方の把持腕９ｂに回動自在に連結している。一方、作動棒９３の基端部は、操作レバー９４を連結している。
【００２０】
図１２を参照して、操作レバー９４を操作すると、一方の把持腕９ａに対して、他方の把持腕９ｂを開閉できる。絶縁操作棒９は、操作棒９１及び作動棒９３の中間部が絶縁性を有するプラスチックパイプなどで構成され、間接活線工法に好適なように、絶縁性を確保している。
【００２１】
図１２を参照して、操作レバー９４を握って、操作レバー９４を操作棒９１に近づけると、一方の把持腕９ａに対して、他方の把持腕９ｂを閉じることができる。操作レバー９４を解放すると、操作レバー９４に連結したばね（図示せず）の力で、一方の把持腕９ａに対して、他方の把持腕９ｂを開くことができる。図１２又は図１３は、一方の把持腕９ａに対して、他方の把持腕９ｂが最大に開いた状態を示している。
【００２２】
図１３を参照して、一方の把持腕９ａは、先細り状の把持爪９１ａを突出している。把持爪９１ａは、把持面９０ａを形成している。把持面９０ａは、回動軸９ｃの回転中心から遠心方向に沿って略平行に形成されている。同様に、他方の把持腕９ｂは、先細り状の把持爪９１ｂを突出している。把持爪９１ｂは、把持面９０ｂを形成している。把持面９０ｂは、把持面９０ａと所定の開角を設けて配置されている。図１２又は図１３を参照して、操作レバー９４を握ると、把持面９０ｂを把持面９０ａに近づけることができる。
【００２３】
図１２又は図１３に示した絶縁操作棒９は、高所に配置された高圧配電線などを一対の把持爪９１ａ・９１ｂで把持できる、いわゆる「絶縁ヤットコ」になっている。
【００２４】
図６から図１１を参照して、間接活線工事用端末キャップは、被覆Ｗｉが剥離された電線Ｗを切断後に、電線Ｗの端末を保護するように構成している。図１０を参照すると、絶縁性を有するキャップ本体８１が電線Ｗの芯線Ｗｓを覆うことで、電線Ｗの芯線Ｗｓが装柱機器などに接触することを防止できる。
【００２５】
図９を参照して、一般に、間接活線工事用端末キャップを先端部に取り付けた電線Ｗは、間接活線工事用端末キャップの先端部が上向きに配置されるように、絶縁操作棒９を用いて、電線Ｗの端末を「くせ付け」することが企てられている。又、間接活線工事用端末キャップが装柱機器などに接触しないように、絶縁操作棒９を用いて、電線Ｗの端末を「くせ付け」することが企てられている。
【００２６】
しかし、電線Ｗの芯線Ｗｓが硬い鋼線などの場合は、絶縁操作棒９を用いて、電線Ｗの端末を「くせ付け」することが容易でなかった。このように、従来は、端末キャップを電線Ｗの先端部に取り付け後に、絶縁操作棒９を用いて、電線Ｗの端末を「くせ付け」することが容易でなかったので、勢い余って、電線Ｗの端末を装柱機器などに接触させる心配があった。
【００２７】
又、電線Ｗの芯線Ｗｓが硬い鋼線などの場合は、「くせ付け」した電線Ｗの端末がスプリングバックにより、電線Ｗの端末が装柱機器などに接触する心配があった。更に、スプリングバックにより、端末キャップの先端部が下向きに配置された場合には、風などの振動で端末キャップが電線Ｗの先端部から脱落する心配があった。
【００２８】
被覆が剥離された電線の端末を絶縁体で覆って保護できる間接活線工事用端末キャップであって、電線の端末を「くせ付け」することが容易な間接活線工事用端末キャップが求められていた。そして、以上のことが本発明の課題といってよい。
【００２９】
本発明は、このような課題に鑑みてなされたものであり、電線の端末を絶縁体で覆って保護できると共に、電線の端末を「くせ付け」することが容易な間接活線工事用端末キャップを提供することを目的とする。
【課題を解決するための手段】
【００３０】
本発明者は、被覆が剥離された電線の端末を内部に導入可能な端末キャップ本体、一端を端末キャップ本体の基端部側に固定した金属線コイル、及び、金属線コイルの他端を固定した口元部材で構成し、口元部材を絶縁操作棒で把持し、電線の端末を導入した端末キャップ本体に対して、口元部材を移動した状態では、金属線コイルは、電線の端末の外周と密着した状態で巻回できるので、電線の端末を容易に「くせ付け」できると考え、これに基づいて、以下のような新たな間接活線工事用端末キャップを発明するに至った。
【００３１】
（１）本発明による間接活線工事用端末キャップは、被覆が剥離された電線の端末の芯線が露出しないように絶縁体で覆う間接活線工事用端末キャップであって、前記電線の端末を内部に導入可能に基端部を開口し、先端部を閉塞した円筒状の端末キャップ本体と、一端を前記端末キャップ本体の基端部側に固定し、内部の空洞が前記端末キャップ本体の内部と軸方向に連通した金属線コイルと、前記金属線コイルの他端を先端部側に固定し、前記金属線コイルの内部に向って、前記電線の端末を通過できると共に、開閉自在な一対の把持腕を先端部に有する絶縁操作棒を用いて、外周を把持できる、円筒状の口元部材と、を備え、前記電線の端末を導入した前記端末キャップ本体に対して、前記口元部材を移動した状態では、前記金属線コイルは、前記電線の端末をくせ付け自在に、前記電線の端末の外周と密着した状態で巻回している。
【００３２】
（２）前記金属線コイルは、塑性変形できる線体からなることが好ましい。
【００３３】
（３）前記金属線コイルは、銅線又は銅合金線からなることが好ましい。
【発明の効果】
【００３４】
本発明による間接活線工事用端末キャップは、被覆が剥離された電線の端末を内部に導入可能な端末キャップ本体、一端を端末キャップ本体の基端部側に固定した金属線コイル、及び、金属線コイルの他端を固定した口元部材で構成し、口元部材を絶縁操作棒で把持し、電線の端末を導入した端末キャップ本体に対して、口元部材を移動した状態では、金属線コイルは、電線の端末の外周と密着した状態で巻回できるので、電線の端末を容易にくせ付けできる。
【図面の簡単な説明】
【００３５】
【図１】本発明の一実施形態による間接活線工事用端末キャップの構成を示す斜視図であり、図１（Ａ）は、間接活線工事用端末キャップを基端部側から観た状態図、図１（Ｂ）は、間接活線工事用端末キャップを先端部側から観た状態図である。
【図２】前記実施形態による間接活線工事用端末キャップの構成を示す正面図である。
【図３】前記実施形態による間接活線工事用端末キャップの構成を示す正面図であり、図３（Ａ）は、間接活線工事用端末キャップを絶縁操作棒で把持して、電線に挿入する前の状態図、図３（Ａ）は、間接活線工事用端末キャップを絶縁操作棒で把持して、電線に挿入した状態図である。
【図４】前記実施形態による間接活線工事用端末キャップの構成を示す正面図であり、電線の端末を導入した端末キャップ本体に対して、口元部材を移動した状態図である。
【図５】前記実施形態による間接活線工事用端末キャップの構成を示す正面図であり、図５（Ａ）は、電線の端末を「くせ付け」する前の状態図、図５（Ｂ）は、電線の端末を「くせ付け」した状態図である。
【図６】従来技術による間接活線工事用端末キャップの構成を示す斜視図であり、端末キャップの入口が開いた状態図である。
【図７】従来技術による間接活線工事用端末キャップの構成を示す縦断面図であり、端末キャップの入口が開いた状態図である。
【図８】従来技術による間接活線工事用端末キャップの構成を示す斜視図であり、電線の端末を挿入する前の状態図である。
【図９】従来技術による間接活線工事用端末キャップの構成を示す斜視図であり、電線の端末を挿入した状態図である。
【図１０】従来技術による間接活線工事用端末キャップの構成を示す縦断面図であり、電線の端末を挿入した状態図である。
【図１１】図１０の右側面図である。
【図１２】従来技術による間接活線工事用絶縁ヤットコの正面図である。
【図１３】図１２に示した間接活線工事用絶縁ヤットコの先端部を拡大した正面図である。
【発明を実施するための形態】
【００３６】
以下、図面を参照して本発明を実施するための形態を説明する。
［間接活線工事用端末キャップの構成］
最初に、本発明の一実施形態による間接活線工事用端末キャップの構成を説明する。
【００３７】
なお、従来技術で使用した符号と同じ符号を有する構成品は、その作用を同一にするので、以下の説明では割愛することがある。
【００３８】
（全体構成）
図１から図５を参照すると、本発明の一実施形態による間接活線工事用端末キャップ（以下、間接用端末キャップと略称する）１０は、円筒状の端末キャップ本体１、金属線コイル２、及び、円筒状の口元部材３を備えている。間接用端末キャップ１０は、被覆Ｗｉが剥離された電線Ｗの端末の芯線Ｗｓが露出しないように絶縁体で覆うことができる。
【００３９】
図１又は図２を参照すると、端末キャップ本体１は、電線Ｗの端末を内部に導入可能に基端部を開口している。又、端末キャップ本体１は、先端部を閉塞している。金属線コイル２は、その一端２ａを端末キャップ本体１の基端部側に固定している（図２参照）。又、金属線コイル２は、その内部の空洞が端末キャップ本体１の内部と軸方向に連通している。
【００４０】
図１又は図２を参照すると、口元部材３は、金属線コイル２の他端２ｂを先端部側に固定している（図２参照）。口元部材３は、金属線コイル２の内部に向って、電線Ｗの端末を通過できる。又、口元部材３は、開閉自在な一対の把持腕９ａ・９ｂを先端部に有する絶縁操作棒９を用いて（図１２又は図１３参照）、外周を把持できる。
【００４１】
図４を参照して、電線Ｗの端末を導入した端末キャップ本体１に対して、口元部材３を移動した状態では（図４参照）、金属線コイル２は、電線Ｗの端末をくせ付け自在に（図５（Ｂ）参照）、電線Ｗの端末の外周を密着した状態で巻回している。
【００４２】
図１から図５を参照すると、実施形態による間接用端末キャップ１０は、被覆Ｗｉが剥離された電線Ｗの端末を内部に導入可能な端末キャップ本体１、一端２ａを端末キャップ本体１の基端部側に固定した金属線コイル２、及び、金属線コイル２の他端２ｂを固定した口元部材３で構成し、口元部材３を絶縁操作棒９で把持し、電線Ｗの端末を導入した端末キャップ本体１に対して、口元部材３を移動した状態では、金属線コイル２は、電線Ｗの端末の外周と密着した状態で巻回できるので、電線Ｗの端末を容易にくせ付けできる。
【００４３】
（端末キャップ本体の構成）
次に、実施形態による端末キャップ本体１の構成を説明する。図１又は図２を参照すると、端末キャップ本体１は、絶縁性を有する合成樹脂からなることが好ましい。絶縁性を有する合成樹脂を成形して、所望の形状の端末キャップ本体１を得ることができる。
【００４４】
図２を参照して、端末キャップ本体１の基端部側の外周に半月状のリブを設けて、金属線コイル２の一端２ａを前記リブに圧入することで、金属線コイル２の一端２ａを端末キャップ本体１の基端部側に固定できる。金属線コイル２の一端２ａと端末キャップ本体１を一体成形して、金属線コイル２の一端２ａを端末キャップ本体１の基端部側に固定してもよい。
【００４５】
（金属線コイルの構成）
次に、実施形態による金属線コイル２の構成を説明する。図１又は図２を参照すると、金属線コイル２は、塑性変形できる線体からなることが好ましい。金属線コイル２は、銅線又は銅合金線からなることがより好ましい。
【００４６】
図４を参照して、金属線コイル２を銅線又は銅合金線などの塑性変形できる線体で構成することで、金属線コイル２が電線Ｗの端末の外周と密着した状態で巻回すると、金属線コイル２が初期の状態に復帰することなく、金属線コイル２の変形状態を維持できる。
【００４７】
又、図５（Ｂ）を参照して、金属線コイル２を銅線又は銅合金線などの塑性変形できる線体で構成することで、電線Ｗの端末を「くせ付け」したときに、電線Ｗの端末がスプリングバックにより、「くせ付け」状態が解除されることなく、電線Ｗの端末の「くせ付け」状態を支援できる。
【００４８】
（口元部材の構成）
次に、実施形態による口元部材３の構成を説明する。図１又は図２を参照すると、口元部材３は、絶縁性を有する合成樹脂からなることが好ましい。絶縁性を有する合成樹脂を成形して、所望の形状の口元部材３を得ることができる。
【００４９】
図２を参照して、口元部材３の先端部側の外周に半月状のリブを設けて、金属線コイル２の他端２ｂを前記リブに圧入することで、金属線コイル２の他端２ｂを口元部材３の先端部側に固定できる。金属線コイル２の他端２ｂと口元部材３を一体成形して、金属線コイル２の他端２ｂを口元部材３の先端部側に固定してもよい。
【００５０】
［間接活線工事用端末キャップの作用］
次に、実施形態による間接用端末キャップ１０の使用方法を説明しながら、間接用端末キャップ１０の作用及び効果を説明する。
【００５１】
最初に、図３（Ａ）を参照して、絶縁操作棒９を用いて、間接用端末キャップ１０の口元部材３を把持する。次に、絶縁操作棒９を用いて、電線Ｗを口元部材３から間接用端末キャップ１０に挿入する（図３（Ｂ）参照）。図３（Ｂ）に示した状態では、電線Ｗは、その先端部が端末キャップ本体１の奥部に突き当たっている。次に、絶縁操作棒９を用いて、口元部材３を電線Ｗに沿って移動する。なお、図３から図５に示した状態では、電線Ｗは、別の絶縁操作棒９を用いて、支持されている。
【００５２】
次に、絶縁操作棒９を用いて、口元部材３を電線Ｗに沿って移動すると（図３（Ｂ）参照）、金属線コイル２が軸方向に引き延ばされ、金属線コイル２の内径が縮径することで、金属線コイル２は、電線Ｗの端末の外周と密着した状態で巻回できる（図４参照）。
【００５３】
図４又は図５（Ａ）に示した状態では、金属線コイル２は、銅線又は銅合金線などの塑性変形できる線体で構成しているので、金属線コイル２が初期の状態に復帰することなく、金属線コイル２の変形状態を維持できる。
【００５４】
次に、図５（Ｂ）を参照して、絶縁操作棒９を用いて、端末キャップ本体１を把持し、絶縁操作棒９を操作することで、電線Ｗの端末を容易にくせ付けできる。この場合、端末キャップ本体１が上向きになるように、電線Ｗの端末をくせ付けすることが好ましい。
【００５５】
実施形態による間接用端末キャップ１０は、被覆Ｗｉが剥離された電線Ｗの端末を内部に導入可能な端末キャップ本体１、一端２ａを端末キャップ本体１の基端部側に固定した金属線コイル２、及び、金属線コイル２の他端２ｂを固定した口元部材３で構成し、口元部材３を絶縁操作棒９で把持し、電線Ｗの端末を導入した端末キャップ本体１に対して、口元部材３を移動した状態では、金属線コイル２は、電線Ｗの端末の外周と密着した状態で巻回できるので、電線Ｗの端末を容易にくせ付けできる。
【００５６】
本発明による間接活線工事用端末キャップは、次のような効果が期待される。
（１）縁線などの電線を容易にくせ付けできる。
（２）電線の端末を確実にくせ付けできるので、電線の端末が装柱機器などに接触する心配が無くなる。
（３）端末キャップを取り付けた電線の先端部が下向きになることを抑制できる。
【００５７】
本発明による間接活線工事用端末キャップは、間接活線工事に好適な端末キャップを開示したが、本発明による端末キャップは、間接活線工事に限定されることなく、一般的な電線工事に適用することが期待できる。
【符号の説明】
【００５８】
１  端末キャップ本体
２  金属線コイル
２ａ  金属線コイルの一端
２ｂ  金属線コイルの他端
３  口元部材
９  絶縁操作棒
９ａ・９ｂ  一対の把持腕
１０  間接用端末キャップ（間接活線工事用端末キャップ）
Ｗ  電線
Ｗｉ  被覆
Ｗｓ  芯線
【図１】
2020025386.tif 000003
【図２】
2020025386.tif 000004
【図３】
2020025386.tif 000005
【図４】
2020025386.tif 000006
【図５】
2020025386.tif 000007
【図６】
2020025386.tif 000008
【図７】
2020025386.tif 000009
【図８】
2020025386.tif 000010
【図９】
2020025386.tif 000011
【図１０】
2020025386.tif 000012
【図１１】
2020025386.tif 000013
【図１２】
2020025386.tif 000014
【図１３】
2020025386.tif 000015